【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
像担持体と、
前記像担持体に第１トナー像及び第２トナー像を形成する画像形成部と、
前記画像形成部によって形成された前記像担持体上の前記第１トナー像及び前記第２トナー像を第１面及び第２面を有するシートに転写する転写部と、
シートの搬送方向において前記転写部より上流に設けられ、前記搬送方向に直交する幅方向にシートを移動させる移動部と、
前記転写部によって前記第１面に前記第１トナー像が転写されたシートの表裏を反転させて、前記転写部に再度、シートを搬送する再搬送部と、
前記第１面に前記第１トナー像が転写される前のシートの前記幅方向における位置である第１検知位置と、前記第２面に前記第２トナー像が転写される前の、前記再搬送部によって反転されたシートの前記幅方向における位置である第２検知位置と、を検知する検知部と、
前記第１面に転写される前記第１トナー像を前記像担持体に対して第１画像位置に形成すると共に前記第２面に転写される前記第２トナー像を前記像担持体に対して前記幅方向において前記第１画像位置とは位置が異なる第２画像位置に形成するように前記画像形成部を制御する制御部と、を備え、
前記制御部は、前記検知部によって検知された前記第１検知位置に基づいて前記第１画像位置に対応する第１シート位置にシートを前記幅方向に移動させ、前記第２トナー像が前記第２面に転写される前に、前記第１シート位置に前記移動部によって移動され且つ前記再搬送部によって反転されたシートを、前記検知部によって検知された前記第２検知位置に基づいて前記第２画像位置に対応する第２シート位置に前記幅方向に移動させるように、前記移動部を制御する、
ことを特徴とする画像形成装置。
【請求項２】
前記第２画像位置は、前記第１画像位置に対してオフセット値だけずれている、
ことを特徴とする請求項１に記載の画像形成装置。
【請求項３】
像担持体と、
前記像担持体に第１トナー像及び第２トナー像を形成する画像形成部と、
前記画像形成部によって形成された前記像担持体上の前記第１トナー像及び前記第２トナー像を第１面及び第２面を有するシートに転写する転写部と、
シートの搬送方向において前記転写部より上流に設けられ、前記搬送方向に直交する幅方向にシートを移動させる移動部と、
前記転写部によって前記第１面に前記第１トナー像が転写されたシートの表裏を反転させて、前記転写部に再度、シートを搬送する再搬送部と、
前記第１面に前記第１トナー像が転写される前のシートの前記幅方向における位置である第１検知位置と、前記第２面に前記第２トナー像が転写される前の、前記再搬送部によって反転されたシートの前記幅方向における位置である第２検知位置と、を検知する検知部と、
前記第１トナー像が前記第１面に転写される前に、前記検知部によって検知された前記第１検知位置に基づいて第１シート位置にシートを前記幅方向に移動させ、前記第２トナー像が前記第２面に転写される前に、前記第１シート位置に前記移動部によって移動され且つ前記再搬送部によって反転されたシートを、前記検知部によって検知された前記第２検知位置に基づいて、前記幅方向において前記第１シート位置に対してオフセット値だけずれている第２シート位置に前記幅方向に移動させるように、前記移動部を制御する制御部と、を備え、
前記制御部は、前記第１トナー像が前記像担持体に対して前記第１シート位置に対応する第１画像位置に形成され、前記第２トナー像が前記像担持体に対して前記第２シート位置に対応する第２画像位置に形成されるように前記画像形成部を制御する、
ことを特徴とする画像形成装置。
【請求項４】
前記オフセット値は、予め設定された固定値である、
ことを特徴とする請求項２又は３に記載の画像形成装置。
【請求項５】
前記オフセット値は、シートに関する情報に基づいて設定される、
ことを特徴とする請求項２又は３に記載の画像形成装置。
【請求項６】
前記オフセット値は、前記搬送方向におけるシートの長さに基づいて設定される、
ことを特徴とする請求項２又は３に記載の画像形成装置。
【請求項７】
前記オフセット値は、シートの坪量に基づいて設定される、
ことを特徴とする請求項２又は３に記載の画像形成装置。
【請求項８】
前記制御部は、前記検知部が検知した前記第１検知位置及び前記第２検知位置に基づいて、前記オフセット値を更新可能な調整モードを実行可能である、
ことを特徴とする請求項２乃至７のいずれか１項に記載の画像形成装置。
【請求項９】
前記制御部は、前記調整モードにおいて、前記再搬送部によってシートが反転される前に、前記移動部を前記幅方向に移動させない、
ことを特徴とする請求項８に記載の画像形成装置。
【請求項１０】
前記制御部は、前記第１トナー像を第１画像位置情報に基づいて前記像担持体の前記第１画像位置に形成すると共に、前記第２トナー像を前記第１画像位置情報及び前記オフセット値に基づいて前記第２画像位置に形成するように前記画像形成部を制御し、
前記第１トナー像が前記第１面に転写される前に、前記検知部によって検知された前記第１検知位置及び前記第１画像位置情報に基づいて、前記第１シート位置にシートを前記幅方向に移動させると共に、前記第２トナー像が前記再搬送部によって反転されたシートの前記第２面に転写される前に、前記検知部によって検知された前記第２検知位置、前記第１画像位置情報及び前記オフセット値に基づいて、前記第２シート位置にシートを前記幅方向に移動させるように前記移動部を制御する、
ことを特徴とする請求項２乃至９のいずれか１項に記載の画像形成装置。
【請求項１１】
前記画像形成部を有する装置本体と、
シートを支持すると共に前記装置本体に対して脱着可能なシート支持部と、を備え、
前記第２画像位置に形成される前記第２トナー像の前記幅方向における中心は、前記第１画像位置に形成される前記第１トナー像の前記幅方向における中心に対してずれており、
前記第２画像位置は、前記第１画像位置から、前記再搬送部によるシートの搬送に伴って前記幅方向においてシートがずれる量に対応した前記オフセット値だけずれた位置であり、
前記制御部は、前記シート支持部が前記装置本体に対して離脱及び再装着された場合には、再装着された後の前記シート支持部から給送される１枚目のシートである第１シートの前記第１面及び前記第２面の前記幅方向における位置に基づいて前記オフセット値を求め、前記オフセット値が求められた後に、前記第１シートの前記第２面に転写されるトナー像を前記画像形成部に形成させる、
ことを特徴とする請求項２乃至１０のいずれか１項に記載の画像形成装置。
【請求項１２】
前記検知部は、前記搬送方向において前記移動部より上流に配置されている、
ことを特徴とする請求項１乃至１１のいずれか１項に記載の画像形成装置。
【請求項１３】
前記移動部は、シートの先端が当接してシートの斜行を補正する回転体対を有する、
ことを特徴とする請求項１乃至１２のいずれか１項に記載の画像形成装置。
【手続補正２】
【補正対象書類名】明細書
【補正対象項目名】０００８
【補正方法】変更
【補正の内容】
【０００８】
本発明は、画像形成装置において、像担持体と、前記像担持体に第１トナー像及び第２トナー像を形成する画像形成部と、前記画像形成部によって形成された前記像担持体上の前記第１トナー像及び前記第２トナー像を第１面及び第２面を有するシートに転写する転写部と、シートの搬送方向において前記転写部より上流に設けられ、前記搬送方向に直交する幅方向にシートを移動させる移動部と、前記転写部によって前記第１面に前記第１トナー像が転写されたシートの表裏を反転させて、前記転写部に再度、シートを搬送する再搬送部と、前記第１面に前記第１トナー像が転写される前のシートの前記幅方向における位置である第１検知位置と、前記第２面に前記第２トナー像が転写される前の、前記再搬送部によって反転されたシートの前記幅方向における位置である第２検知位置と、を検知する検知部と、前記第１面に転写される前記第１トナー像を前記像担持体に対して第１画像位置に形成すると共に前記第２面に転写される前記第２トナー像を前記像担持体に対して前記幅方向において前記第１画像位置とは位置が異なる第２画像位置に形成するように前記画像形成部を制御する制御部と、を備え、前記制御部は、前記検知部によって検知された前記第１検知位置に基づいて前記第１画像位置に対応する第１シート位置にシートを前記幅方向に移動させ、前記第２トナー像が前記第２面に転写される前に、前記第１シート位置に前記移動部によって移動され且つ前記再搬送部によって反転されたシートを、前記検知部によって検知された前記第２検知位置に基づいて前記第２画像位置に対応する第２シート位置に前記幅方向に移動させるように、前記移動部を制御する、ことを特徴とする。
また、本発明は、画像形成装置において、像担持体と、前記像担持体に第１トナー像及び第２トナー像を形成する画像形成部と、前記画像形成部によって形成された前記像担持体上の前記第１トナー像及び前記第２トナー像を第１面及び第２面を有するシートに転写する転写部と、シートの搬送方向において前記転写部より上流に設けられ、前記搬送方向に直交する幅方向にシートを移動させる移動部と、前記転写部によって前記第１面に前記第１トナー像が転写されたシートの表裏を反転させて、前記転写部に再度、シートを搬送する再搬送部と、前記第１面に前記第１トナー像が転写される前のシートの前記幅方向における位置である第１検知位置と、前記第２面に前記第２トナー像が転写される前の、前記再搬送部によって反転されたシートの前記幅方向における位置である第２検知位置と、を検知する検知部と、前記第１トナー像が前記第１面に転写される前に、前記検知部によって検知された前記第１検知位置に基づいて第１シート位置にシートを前記幅方向に移動させ、前記第２トナー像が前記第２面に転写される前に、前記第１シート位置に前記移動部によって移動され且つ前記再搬送部によって反転されたシートを、前記検知部によって検知された前記第２検知位置に基づいて、前記幅方向において前記第１シート位置に対してオフセット値だけずれている第２シート位置に前記幅方向に移動させるように、前記移動部を制御する制御部と、を備え、前記制御部は、前記第１トナー像が前記像担持体に対して前記第１シート位置に対応する第１画像位置に形成され、前記第２トナー像が前記像担持体に対して前記第２シート位置に対応する第２画像位置に形成されるように前記画像形成部を制御する、ことを特徴とする。
【手続補正３】
【補正対象書類名】明細書
【補正対象項目名】０００９
【補正方法】変更
【補正の内容】
【０００９】
本発明によると、シートのシフト量を低減することができ、生産性を向上すると共に高品位な成果物を得ることができる。